(57)【要約】      （修正有）【課題】組付工程を簡素化しつつ、端子と電線との接続部分の損傷を抑制することが可能なコネクタを提供する。【解決手段】電線１２の端末部に接続される端子１４と、端子１４が収容される端子収容室と端子収容室に収容された電線１２が導出される電線導出部とを有するハウジング２０と、電線導出部から導出された電線１２を覆う第１カバー５０Ａと、第１カバー５０Ａに対して組み付けられた状態で第１カバー５０Ａとの間に電線１２が挿通される第２カバー５０Ｂと、を備え、第１カバー５０Ａ及び第２カバー５０Ｂの少なくとも一方は、第１カバー５０Ａと第２カバー５０Ｂとが組み付けられた状態で電線導出部から導出された電線１２を押さえる電線押さえ部５６Ａ，５６Ｂを有する。【選択図】図２
2019145207.tif 000002
【特許請求の範囲】
【請求項１】
電線の端末部に接続される端子と、
前記端子が収容される端子収容室と前記端子収容室に収容された電線が導出される電線導出部とを有するハウジングと、
前記電線導出部から導出された電線を覆う第１カバーと、
前記第１カバーに対して組み付けられた状態で前記第１カバーとの間に前記電線が挿通される第２カバーと、を備え、
前記第１カバー及び前記第２カバーの少なくとも一方は、前記第１カバーと前記第２カバーとが組み付けられた状態で前記電線導出部から導出された電線を押さえる電線押さえ部を有する、コネクタ。
【請求項２】
前記第１カバー及び前記第２カバーの少なくとも一方は、前記電線押さえ部を有するカバー本体と、前記カバー本体に対してヒンジ部を介して接続され、開閉可能な開閉部とを備える請求項１に記載のコネクタ。
【請求項３】
複数の前記電線の端末部に接続される複数の前記端子を備え、
前記電線導出部から導出された前記複数の電線は、前記第１カバー及び前記第２カバーの組付方向に並んで配されており、
前記第１カバー及び前記第２カバーの組付方向に並んで配された前記複数の電線間に挟まれるスペーサ部を備える請求項１又は請求項２に記載のコネクタ。
【請求項４】
前記電線導出部は、前記ハウジングの外面に対して凹んでおり、
前記スペーサ部は、前記電線導出部に進入する先細状の先細部を有する請求項３に記載のコネクタ。
【請求項５】
前記ハウジングは外方に張り出す張出部を備え、
前記第１カバー及び前記第２カバーは、前記張出部に対して前記第１カバー及び前記第２カバーの組付方向に嵌合する嵌合部を備える請求項１から請求項４のいずれか一項に記載のコネクタ。
【請求項６】
前記第１カバー及び前記第２カバーの少なくとも一方は、複数の前記電線を結束する結束部材を保持している請求項１から請求項５のいずれか一項に記載のコネクタ。
【発明の詳細な説明】
【技術分野】
【０００１】
本明細書では、コネクタに関する技術を開示する。
【背景技術】
【０００２】
従来、複数の電線の端末部に接続された複数の端子をハウジングに収容して構成されたコネクタが知られている。特許文献１のコネクタは、電線が接続された端子と、端子を収容する端子収容部が形成されたハウジングとを備えており、端子は、端子収容部の内壁から突出するランスによって抜け止めされている。複数の電線はハウジングの開口端から引き出されており、粘着テープ等によりハウジング端面から下方に延出する電線保持部材に巻き付けられて固定されている。
【先行技術文献】
【特許文献】
【０００３】
【特許文献１】特開２０１６−９５２７号公報
【発明の概要】
【発明が解決しようとする課題】
【０００４】
ところで、端子をハウジングのランスに係止させて抜け止めする構成では、ハウジングの開口端から引き出された電線に対して抜け方向の力が生じた場合には、端子と電線との接続部分に応力が生じ、端子と電線との接続部分の損傷等が懸念される。特許文献１では、ハウジングの開口端から引き出された電線は、粘着テープ等により電線保持部材に巻き付けられて保持されているが、この場合、粘着テープ等の巻き付け作業の手間がかかるという問題がある。
【０００５】
本明細書に記載された技術は、上記のような事情に基づいて完成されたものであって、組付工程を簡素化しつつ、端子と電線との接続部分の損傷を抑制することが可能なコネクタを提供することを目的とする。
【課題を解決するための手段】
【０００６】
本明細書に記載されたコネクタは、電線の端末部に接続される端子と、前記端子が収容される端子収容室と前記端子収容室に収容された電線が導出される電線導出部とを有するハウジングと、前記電線導出部から導出された電線を覆う第１カバーと、前記第１カバーに対して組み付けられた状態で前記第１カバーとの間に前記電線が挿通される第２カバーと、を備え、前記第１カバー及び前記第２カバーの少なくとも一方は、前記第１カバーと前記第２カバーとが組み付けられた状態で前記電線導出部から導出された電線を押さえる電線押さえ部を有する。
本構成によれば、第１カバーと第２カバーとを組み付けることにより、ハウジングの電線導出部から導出された電線は、第１カバー及び第２カバーの少なくとも一方の電線押さえ部により押さえられる。これにより、電線に対して端子の抜け方向の力が生じたとしても電線押さえ部が電線導出部から導出された電線を押さえて保持するため、端子側に生じる応力が抑制される。よって、組付工程を簡素化しつつ、端子と電線との接続部分の損傷を抑制することが可能となる。
【０００７】
本明細書に記載された技術の実施態様としては以下の態様が好ましい。
前記第１カバー及び前記第２カバーの少なくとも一方は、前記電線押さえ部を有するカバー本体と、前記カバー本体に対してヒンジ部を介して接続され、開閉可能な開閉部とを備える。
このようにすれば、第１カバーと第２カバーとが組み付けられた状態において開閉部を開放することにより、電線を束ねる作業等の作業スペースを確保することができる。
【０００８】
複数の前記電線の端末部に接続される複数の前記端子を備え、前記電線導出部から導出された前記複数の電線は、前記第１カバー及び前記第２カバーの組付方向に並んで配されており、前記第１カバー及び前記第２カバーの組付方向に並んで配された前記複数の電線間に挟まれるスペーサ部を備える。
複数の電線が第１カバー及び第２カバーの組付方向に並んだ構成では、電線間の隙間により電線押さえ部が電線を押さえる力が低下することが懸念される。本構成によれば、複数の電線間にスペーサ部を挟んだ状態で電線押さえ部が電線を押さえるため、電線押さえ部による電線保持力の低下を抑制することができる。
【０００９】
前記電線導出部は、前記ハウジングの外面に対して凹んでおり、前記スペーサ部は、前記電線導出部に進入する先細状の先細部を有する。
このようにすれば、スペーサ部の組付けが容易になるとともに、スペーサ部を電線間に位置決めすることが容易になる。
【００１０】
前記ハウジングは外方に張り出す張出部を備え、前記第１カバー及び前記第２カバーは、前記張出部に対して前記第１カバー及び前記第２カバーの組付方向に嵌合する嵌合部を備える。
このようにすれば、嵌合部により第１カバー及び第２カバーの組付作業を容易にしつつ、第１カバー及び第２カバーをハウジングに対して位置決めすることが可能になる。
【００１１】
前記第１カバー及び前記第２カバーの少なくとも一方は、複数の前記電線を結束する結束部材を保持している。
【発明の効果】
【００１２】
本明細書に記載された技術によれば、組付工程を簡素化しつつ、端子と電線との接続部分の損傷を抑制することが可能なコネクタを提供することができる。
【図面の簡単な説明】
【００１３】
【図１】実施形態１のコネクタを示す斜視図
【図２】コネクタの幅方向の中間部の縦断面図
【図３】コネクタの分解斜視図
【図４】端子付き電線を示す斜視図
【図５】ハウジングを示す正面図
【図６】図５のＡ−Ａ断面図
【図７】スペーサ部を示す平面図
【図８】ハウジングの電線導出部にスペーサ部の先端部が挿入された状態を示す斜視図
【図９】ハウジングの電線導出部にスペーサ部の先端部が挿入された状態を示す縦断面図
【図１０】ハウジングの電線導出部にスペーサ部の先端部が挿入された状態を示す平断面図
【図１１】ハウジングに端子付き電線が組み付けられた状態からスペーサ部を組み付ける工程を説明する斜視図
【図１２】ハウジングに端子付き電線が組み付けられた状態からスペーサ部を組み付ける工程を説明する側面図
【図１３】ハウジングの電線間にスペーサ部が組み付けられた状態を示す斜視図
【図１４】ハウジングの電線間にスペーサ部が組み付けられた状態を示す縦断面図
【図１５】第１カバーに第２カバーを組み付ける工程を説明する側面図
【図１６】開閉カバーが開放された状態で第２カバーの固定部が第１カバーに組み付けられ、複数の電線がテープ巻きされた状態を示す側面図
【図１７】開閉カバーが開放された状態で第２カバーの固定部が第１カバーに組み付けられ、テープ巻きされた複数の電線がタイバンドで結束された状態を示す縦断面図
【図１８】実施形態２の一対のカバーが組み付けられた状態を示す底面図
【図１９】図１８のＢ−Ｂ断面図
【図２０】一対のカバーを示す斜視図
【図２１】一対のカバーを示す背面図
【図２２】図２１のＣ−Ｃ断面図
【図２３】ハウジングに一対のカバーが組み付けられた状態を示す平断面図
【図２４】実施形態３のハウジングを示す斜視図
【図２５】ハウジングを示す正面図
【図２６】図２５のＤ−Ｄ断面図
【図２７】図２５のＥ−Ｅ断面図
【発明を実施するための形態】
【００１４】
＜実施形態１＞
実施形態１について図１〜図１７を参照しつつ説明する。
本実施形態のコネクタ１０は、例えば自動車等の車両に搭載され、電線端末部や機器等に接続された相手側コネクタと嵌合するものである。以下では、図１のＸ方向を前方、Ｙ方向を左方、Ｚ方向を上方として説明する。
【００１５】
コネクタ１０は、図２，図３に示すように、複数の端子付き電線１１と、複数の端子付き電線１１が収容される合成樹脂製のハウジング２０と、ハウジング２０の後方に配される一対のカバー５０Ａ，５０Ｂとを備える。
【００１６】
各端子付き電線１１は、図４に示すように、電線１２の端末部に端子１４が接続されてなる。各電線１２は、共に、銅、銅合金、アルミニウム、アルミニウム合金等からなる導体部１２Ａの周囲が絶縁性の被覆１２Ｂで覆われている。各端子１４は、銅、銅合金、アルミニウム、アルミニウム合金等の金属製の雌端子であって、相手側の雄端子と接続される弾性接触片が内部に収容された角筒状の箱部１５を備える。電線１２の導体部１２Ａは、端子１４に対して例えば溶接、圧接、圧着等の公知の接続手段により接続されている。箱部１５の外面には、撓み変形可能な金属ランス１６が形成されている。金属ランス１６はハウジング２０の端子収容室２１の内壁の凹部（図示しない）に係止されることにより端子１４を抜け止めする。
【００１７】
ハウジング２０は、図５，図６に示すように、扁平な直方体状であって、上下２段、左右に多数（複数）の端子収容室２１が並んで設けられている。各端子収容室２１は、各端子１４を例えばハウジング２０の後方から挿入可能な形状とされている。ハウジング２０の前方側を閉鎖する前壁２９には、図示しない相手側コネクタの雄端子が挿入される端子挿入孔２２が開口しており、端子挿入孔２２の後方に端子収容室２１が配されている。上下２段の端子収容室２１（及び端子挿入孔２２）は、千鳥状に配置されており、左右方向について、上段側の隣り合う端子収容室２１間の中間部に下段の端子収容室２１の幅方向の中間（軸心）が配置されている。
【００１８】
ハウジング２０の上部には、相手側コネクタハウジングとの嵌合状態をロックするロックアーム２３が形成されている。ロックアーム２３は相手側コネクタハウジングに対して正規嵌合状態で係止するロック突部２３Ａが形成されている。ハウジング２０の後端部には、外方に鍔状に張り出す張出部２８が形成されている。張出部２８は、ハウジング２０の後端部の全周のうち一対の側壁及び底壁の後端部に連なるとともに、ロックアーム２３が設けられた上壁の左右の端部に設けられている。
【００１９】
ハウジング２０の両側壁の後方側には、図１０に示すように、係止凹部２６が側壁を切り欠いて形成されている。係止凹部２６は、スペーサ部３０に係止する段差面２７を有する。端子収容室２１の後方（ハウジング２０の後端部）は、全て（複数）の電線１２が導出される空間を形成する電線導出部２４とされている。電線導出部２４には、後述するスペーサ部３０の前端側が進入する。電線導出部２４の内壁は、電線１２の外周に沿うように波形状とされている。電線導出部２４の後端部は、一対のカバー５０Ａ，５０Ｂ間に電線１２を導出する電線導出口２５が開口している。
【００２０】
スペーサ部３０は、例えば、合成樹脂製又は金属製であって、図７〜図９に示すように、電線１２の並び方向に沿って左右方向に延びる形状であって、先細状の先細部３１と、先細部３１の後方に連なり厚み寸法が大きくされた厚肉部３６と、厚肉部３６の後方に延び、電線１２を載置可能な板状の電線載置部３８とを備える。
【００２１】
先細部３１は、断面が略三角形状であって、上下の面は、スペーサ部３０の挿入時に電線１２の外周に摺接可能な傾斜面３２とされている。先細部３１の幅方向の端部には、ハウジング２０の係止凹部２６に係止する一対の係止凸部３３，３３が外方に突出して設けられている。一対の係止凸部３３，３３の内側には、先細部３１を切り欠いた形状の一対の切欠部３４が形成されている。係止凸部３３は、切欠部３４により内方に撓み変形可能とされている。
【００２２】
厚肉部３６は、先細部３１及び電線載置部３８よりも厚み寸法が大きくされており、上下段の電線１２間に挿入された際には（図１３）、電線１２の被覆１２Ｂの外周面に当接し、電線１２の外周面を押圧して電線１２をわずかに変形させつつ挟持する。電線載置部３８の上下の両面には、電線１２の外周に沿う複数の電線配索溝３９が左右方向に並んで形成されている。各電線配索溝３９は、電線１２の外周面に沿うように左右方向に波形状に延びている。電線載置部３８の上下の複数の電線配索溝３９は、ハウジング２０の各端子収容室２１の後方に連なって  千鳥状に配置されており、左右方向について、電線載置部３８の上面側の隣り合う電線配索溝３９間の中間部に電線載置部３８の下面側の電線配索溝３９の幅方向の中間（軸心）が配置されている。このように上下の電線配索溝３９の左右方向の位置をずらすことにより、電線載置部３８の板厚が局所的に小さくなる箇所が少なくなるため、後述する第１カバー５０Ａ及び第２カバー５０Ｂの電線押さえ部５６Ａ，５６Ｂが電線１２を押さえることにより電線載置部３８に応力が生じた状態においても電線載置部３８の変形を抑制することができる。
【００２３】
一対のカバー５０Ａ，５０Ｂは、絶縁性の合成樹脂製であって、第１カバー５０Ａと、第１カバー５０Ａの上方の対向する位置に配される第２カバー５０Ｂとからなり、図３，図１７に示すように、共に、長方形の板状のカバー本体５１と、カバー本体５１の両側縁から起立する一対の側壁部６３とを備える。
【００２４】
第１カバー５０Ａのカバー本体５１の上面には、複数の凹部５１Ａと、第２カバー５０Ｂの係止片６２（図２０参照）の下端部に当接しないように逃げる逃げ孔６６Ｂと、係止片６２の係止爪６２Ａに係止する受け部６６Ａとが形成されている。後方側の凹部５１Ａには、一対のスリット状の通し孔６７が貫通形成されており、一対の通し孔６７に複数の電線１２を結束する結束部材としての合成樹脂製のタイバンド６９（図２参照）を通して複数の電線１２の位置及び形状を保持することができる。タイバンド６９は、紐状であって、一方側の挿通孔に紐状の他方側を通すと環状に結束されるため、複数の電線１２（及びテープ６８）をカバー本体５１に対して結束した状態に保持することができる。受け部６６Ａは、図３に示すように、前方に板状に突出しており、両側縁は下方に延びてカバー本体５１の上面に連なっている。第１カバー５０Ａの側壁部６３の外面には、係止部６４が外方に突設されており、第２カバー５０Ｂの側壁部６３の外面には、係止部６４に係止される撓み変形可能な被係止部６５が下方側に枠状に延びている。係止部６４の下端は段差状に外方に突出し、上端側は傾斜状に突出寸法が小さくなっている。被係止部６５は、係止部６４に当接して撓み変形し、復元変形により被係止部６５の係止孔６５Ａに係止部６４が収容されて係止状態となる。
【００２５】
第１カバー５０Ａのカバー本体５１の前端部には、ハウジング２０の張出部２８に嵌合する嵌合部５３Ａと、電線１２側に突出して電線１２を押さえる電線押さえ部５６Ａとが形成されている。嵌合部５３Ａは、カバー５０Ａの前端部の角部に設けられた断面Ｕ字状の部分であり、カバー本体５１の前端部の全幅に亘って設けられており、張出部２８に対して下方から嵌合可能な嵌合溝５４が全幅に亘って形成されている。嵌合溝５４が張出部２８に嵌合することにより第１カバー５０Ａの組付方向の移動を案内しつつ、第１カバー５０Ａの組付方向とは異なる方向への移動を規制する。
【００２６】
電線押さえ部５６Ａは、一対のカバー５０Ａ，５０Ｂを組み付けた際に電線１２の被覆１２Ｂの外周を押さえるものであり、第１カバー５０Ａにおける左右の側壁部６３間の全幅に亘って延びている。電線押さえ部５６Ａは、図２に示すように、先端は丸みを帯びて先細状に突出しており、その突出寸法は、電線１２を損傷させずに電線１２の抜けを防止することが可能な寸法とされている。
【００２７】
第２カバー５０Ｂのカバー本体５１は、ハウジング２０及びスペーサ部３０に対して位置が固定される略長方形の平板状の固定部５２と、固定部５２の後方に配され、開閉可能な長方形の平板状の開閉部６０と、固定部５２に対して開閉部６０を開閉可能に接続する撓み変形可能なヒンジ部５８とを備える。固定部５２の前端部には、ハウジングの張出部２８に嵌合する嵌合部５３Ｂと、電線１２側に突出して電線１２を押さえる電線押さえ部５６Ｂとが形成されている。
【００２８】
嵌合部５３Ｂは、第２カバー５０Ｂの前端部の角部に設けられた断面Ｕ字状の部分であり、張出部２８に対して上方から嵌合可能な嵌合溝５４が形成されている。嵌合溝５４が張出部２８に係合することで第２カバー５０Ｂの組付方向の移動を案内し、かつ、第２カバー５０Ｂの組付方向とは異なる方向への移動を規制する。
【００２９】
電線押さえ部５６Ｂは、一対のカバー５０Ａ，５０Ｂを組み付けた際に電線１２の被覆１２Ｂの外周を押さえるものであり、第１カバー５０Ｂにおける左右の側壁部６３間の全幅に亘って延びている。電線押さえ部５６Ｂは、先端は丸みを帯びて先細状に突出しており、その突出寸法は、電線１２を損傷させずに電線１２の抜けを防止することが可能な寸法とされている。
【００３０】
固定部５２には、一対の板状の係止片６２（図２０，図２２参照）が下方に延びている。各係止片６２は、下端部に後方に突出する係止爪６２Ａを有する。係止片６２は、第１カバー５０Ａの受け部６６Ａに当接して撓み変形し、受け部６６Ａを下方に至ると復元変形して受け部６６Ａの下面に係止される。また、一対の係止片６２の間に複数の電線１２を挿通することにより電線１２の配索経路を規制することができる。
【００３１】
開閉部６０は、図２に示すように、固定部５２よりも厚み寸法が小さく、前後方向の長さが固定部５２よりも長くされている。開閉部６０の下面には、凹部５１Ｂが形成されている。開閉部６０の厚みとカバー５０Ａ，５０Ｂの凹部５１Ａ，５１Ｂにより、カバー５０Ａ，５０Ｂの後方側の隙間の寸法が前方側より大きくされる。これにより、カバー５０Ａ，５０Ｂの後方側の領域については、電線１２を収容可能な上下方向の寸法が大きくされており、複数の電線１２の外周がテープ６８で束ねられてタイバンド６９で結束されて上下方向の厚みが大きくされた状態でカバー５０Ａ，５０Ｂの後方側の凹部５１Ａ，５１Ｂ間の領域に収容可能とされる。また、固定部５２に対して開閉部６０が開放されると、第１カバー５０Ａの上に電線１２を束ねる等の作業が可能な空間が形成される。ヒンジ部５８は、カバー本体５１を局所的に薄肉に形成することで固定部５２と開閉部６０との間の曲げを許容している。
【００３２】
コネクタ１０の製造工程について説明する。
複数の電線１２の端末部に端子１４を接続して複数の端子付き電線１１を形成し、複数の端子付き電線１１の端子１４側をハウジング２０の後方側から端子収容室２１の正規位置まで挿入する。次に、図１１，図１２に示すように、上下の電線１２の間にスペーサ部３０を差込み、ハウジング２０の電線導出部２４にスペーサ部３０を挿入する。これにより、スペーサ部３０の係止凸部３３，３３がハウジング２０の係止凹部２６に係止され、スペーサ部３０が上下の電線１２の間に挟持された状態となる（図１３）。
【００３３】
次に、第１カバー５０Ａの嵌合部５３Ａにハウジング２０の張出部２８が挿通されるように第１カバー５０Ａを下方から上方に移動して装着する（図１５）。
【００３４】
次に、第２カバー５０Ｂを下方に移動し、嵌合部５３Ｂをハウジング２０の張出部２８に挿通する。すると、第１カバー５０Ａの係止部６４に当接した第２カバー５０Ｂの被係止部６５が撓み変形した後、復元変形して固定部５２の係止部６４が被係止部６５の係止孔６５Ａの孔縁に係止される。これにより、第１カバー５０Ａ及びハウジング２０に対して第２カバー５０Ｂの固定部５２が固定される。このとき、開閉部６０の被係止部６５は係止部６４に係止されておらず、開閉部６０は開放された状態とされている。
【００３５】
次に、開閉部６０の開放により生じたスペースを利用し、固定部５２の後方に導出された複数の電線１２を束ねて複数の電線１２の外周にテープ６８を巻きつける（図１６）。そして、タイバンド６９を一対の通し孔６７に通し、テープ６８を巻きされた複数の電線１２をタイバンド６９により結束する（図１７）。その後、開閉部６０を閉じる方向に回動させ、開閉部６０の被係止部６５を係止部６４に係止させることでコネクタ１０が形成される。
【００３６】
本実施形態によれば、以下の作用、効果を奏する。
電線１２の端末部に接続される端子１４と、端子１４が収容される端子収容室２１と端子収容室２１に収容された電線１２が導出される電線導出部２４とを有するハウジング２０と、電線導出部２４から導出された電線１２を覆う第１カバー５０Ａと、第１カバー５０Ａに対して組み付けられた状態で第１カバー５０Ａとの間に電線１２が挿通される第２カバー５０Ｂと、を備え、第１カバー５０Ａ及び第２カバー５０Ｂ（の少なくとも一方）は、第１カバー５０Ａと第２カバー５０Ｂとが組み付けられた状態で電線導出部２４から導出された電線１２を押さえる電線押さえ部５６Ａ，５６Ｂを有する。
【００３７】
本実施形態によれば、第１カバー５０Ａと第２カバー５０Ｂとを組み付けることにより、ハウジング２０の電線導出部２４から導出された電線１２は、第１カバー５０Ａ及び第２カバー５０Ｂ（の少なくとも一方）の電線押さえ部５６Ａ，５６Ｂにより押さえられる。これにより、電線１２に対して端子１４の抜け方向の力が生じたとしても電線押さえ部５６Ａ，５６Ｂが電線導出部２４から導出された電線１２を押さえて保持するため、端子１４側に生じる応力が抑制される。よって、組付工程を簡素化しつつ、端子１４と電線１２との接続部分の損傷を抑制することが可能となる。また、電線１２を覆って保護するカバー５０Ａ，５０Ｂの構成を利用して電線１２を保持することができるため、コネクタ１０を小型化することが可能になる。
【００３８】
また、第２カバー５０Ｂ（及び第１カバー５０Ａの少なくとも一方）は、電線押さえ部５６Ｂを有するカバー本体５１と、カバー本体５１に対してヒンジ部５８を介して接続され、開閉可能な開閉部６０とを備える。
このようにすれば、第１カバー５０Ａと第２カバー５０Ｂとが組み付けられた状態において開閉部６０を開放することにより、電線１２を束ねる作業等の作業スペースを確保することができる。
【００３９】
また、複数の電線１２の端末部に接続される複数の端子１４を備え、電線導出部２４から導出された複数の電線１２は、第１カバー５０Ａ及び第２カバー５０Ｂの組付方向に並んで配されており、第１カバー５０Ａ及び第２カバー５０Ｂの組付方向に並んで配された複数の電線１２間に挟まれるスペーサ部３０を備える。
複数の電線１２が第１カバー５０Ａ及び第２カバー５０Ｂの組付方向に並んだ構成では、電線１２間の隙間により電線押さえ部５６Ａ，５６Ｂが電線１２を押さえる力が低下することが懸念される。本実施形態によれば、複数の電線１２間にスペーサ部３０を挟んだ状態で電線押さえ部５６Ａ，５６Ｂが電線１２を押さえるため、電線押さえ部５６Ａ，５６Ｂによる電線保持力の低下を抑制することができる。
【００４０】
また、電線導出部２４は、ハウジング２０の外面に対して凹んでおり、スペーサ部３０は、電線導出部２４に進入する先細状の先細部３１を有する。
このようにすれば、スペーサ部３０の組付けが容易になるとともに、スペーサ部３０を電線１２間に位置決めすることが容易になる。
【００４１】
また、ハウジング２０は外方に張り出す張出部２８を備え、第１カバー５０Ａ及び第２カバー５０Ｂは、張出部２８に対して第１カバー５０Ａ及び第２カバー５０Ｂの組付方向に嵌合する嵌合部５３Ａ，５３Ｂを備える。
このようにすれば、嵌合部５３Ａ，５３Ｂにより第１カバー５０Ａ及び第２カバー５０Ｂの組付作業を容易にしつつ、第１カバー５０Ａ及び第２カバー５０Ｂをハウジング２０に対して位置決めすることが可能になる。
【００４２】
＜実施形態２＞
次に、実施形態２を図１８〜図２３を参照しつつ説明する。実施形態２は、第２カバー７０Ｂについて、固定部７１と開閉部７２との相対的な長さを変えるとともに、第１カバー７０Ａを第２カバー７０Ｂに対応させたものである。以下では、実施形態１と同一の構成については同一の符号を付して説明を省略する。
【００４３】
実施形態２の第２カバー７０Ｂは、図１９に示すように、固定部７１と開閉部７２とは、前後方向の長さがほぼ同じとされている。カバー７０Ａ，７０Ｂの後方側には、凹部７３Ａ，７３Ｂが形成されている。
【００４４】
＜実施形態３＞
次に、実施形態３を図２４〜図２７を参照して説明する。実施形態３は、ハウジング８０について、スペーサ部８２を一体に形成したものである。以下では、実施形態１と同一の構成については同一の符号を付して説明を省略する。
【００４５】
ハウジング８０は、合成樹脂製であって、図２４〜図２７に示すように、扁平な直方体状のハウジング本体８１と、ハウジング本体８１の後端部に固定されたスペーサ部８２とを有する。ハウジング８０は、例えばモールド成形によりハウジング本体８１とスペーサ部８２とが一体に形成されており、実施形態１のような別体のスペーサ部３０を有さないため、ハウジング本体８１には実施形態１の係止凹部２６が設けられておらず、スペーサ部８２には係止凸部３３，３３及び先細部３１は設けられていない。
【００４６】
ハウジング本体８１の後方には、電線１２を載置可能な板状のスペーサ部８２（電線載置部）が突出している。スペーサ部８２の上下の両面には、電線１２の外周に沿う複数の電線配索溝３９が左右方向に並んで形成されている。
【００４７】
＜他の実施形態＞
本明細書に記載された技術は上記記述及び図面によって説明した実施形態に限定されるものではなく、例えば次のような実施形態も本明細書に記載された技術の技術的範囲に含まれる。
（１）上記実施形態では、一対のカバー５０Ａ，５０Ｂ，７０Ａ，７０Ｂの双方が電線押さえ部５６Ａ，５６Ｂを備える構成としたが、これに限られず、一対のカバーの一方のみが電線１２を押さえる電線押さえ部を備える構成としてもよい。また、一対のカバー５０Ａ，５０Ｂ，７０Ａ，７０Ｂの双方が嵌合部５３Ａ，５３Ｂを備える構成としたが、一対のカバーの一方のみが嵌合部を備える構成としてもよい。
【００４８】
（２）第１カバー５０Ａ，７０Ａは、ヒンジ部５８により開閉可能な開閉部６０を備える構成としたが、開閉部６０やヒンジ部５８を備えない構成としてもよい。
【００４９】
（３）上記実施形態では、スペーサ部３０，８２を備える構成としたが、スペーサ部を備えない構成としてもよい。
【００５０】
（４）複数段の電線１２を備える構成としたが、これに限られない。例えば、一段の電線１２の上下から一対のカバー５０Ａ，５０Ｂ，７０Ａ，７０Ｂの電線押さえ部５６Ａ，５６Ｂで一段の電線１２を上下の両側から挟んで保持するようにしてもよい。
【００５１】
（５）コネクタ１０は電線１２を束ねて結束部材で結束する構成としたが、これに限られない。例えば、電線１２がハウジング８０の後方で束ねられず、直線状に延びていてもよい。
【符号の説明】
【００５２】
１０：  コネクタ
１１：  端子付き電線
１２：  電線
１４：  端子
２０，８０：  ハウジング
２１：  端子収容室
２４：  電線導出部
２５：  電線導出口
２６：  係止凹部
３０，８２：  スペーサ部
３１：  先細部
３２：  傾斜面
３３：  係止凸部
３６：  厚肉部
３８：  電線載置部
５０Ａ，７０Ａ：  第１カバー
５０Ｂ，７０Ｂ：  第２カバー
５１：  カバー本体
５２，７１：  固定部
５３Ａ，５３Ｂ：  嵌合部
５６Ａ，５６Ｂ：  電線押さえ部
５８：  ヒンジ部
６０，７２：  開閉部
６２：  係止片
６３：  側壁部
６４：  係止部
６５：  被係止部
６０：タイバンド（結束部材）
【図１】
2019145207.tif 000003
【図２】
2019145207.tif 000004
【図３】
2019145207.tif 000005
【図４】
2019145207.tif 000006
【図５】
2019145207.tif 000007
【図６】
2019145207.tif 000008
【図７】
2019145207.tif 000009
【図８】
2019145207.tif 000010
【図９】
2019145207.tif 000011
【図１０】
2019145207.tif 000012
【図１１】
2019145207.tif 000013
【図１２】
2019145207.tif 000014
【図１３】
2019145207.tif 000015
【図１４】
2019145207.tif 000016
【図１５】
2019145207.tif 000017
【図１６】
2019145207.tif 000018
【図１７】
2019145207.tif 000019
【図１８】
2019145207.tif 000020
【図１９】
2019145207.tif 000021
【図２０】
2019145207.tif 000022
【図２１】
2019145207.tif 000023
【図２２】
2019145207.tif 000024
【図２３】
2019145207.tif 000025
【図２４】
2019145207.tif 000026
【図２５】
2019145207.tif 000027
【図２６】
2019145207.tif 000028
【図２７】
2019145207.tif 000029